(57)【要約】【課題】撮像装置の薄型化を図ることができると共に、落下等の衝撃による直進ガイド軸の位置ずれを防止することができる仕組みを提供する。【解決手段】第１光学系から入射した光束を入射光軸に対して直交する光軸１０方向に屈曲させて、結像面に導く屈曲光学部と、屈曲光学部と前記結像面との間に配置される第２光学系と、第２光学系を光軸１０に沿って移動可能に支持するガイド部２２，２３と、被写体に向けて閃光を発光するためエネルギーを充電する断面円形状のコンデンサ１４を有するストロボ装置と、備える。コンデンサ１４は、軸線を光軸１０と同一の方向に向けた状態で、周面が保護部材１５を介してシャーシ１５に当接又は近接して配置され、コンデンサ１４の前記当接部又は前記近接部の周方向一側の周面とシャーシ１５との間に形成される保護部材１５の開口部を含む空間２６にガイド部２２が配置される。【選択図】図９
2012042680.tif 000002
【特許請求の範囲】
【請求項１】
第１光軸を有する第１光学系と、
前記第１光学系から入射した光束を第１光軸に対して交差する第２光軸の方向に屈曲させて、結像面に導く屈曲光学部と、
前記屈曲光学部と前記結像面との間に配置される第２光学系と、
前記第２光学系を前記第２光軸に沿って移動可能に支持するガイド部と、
被写体に向けて閃光を発光するためエネルギーを充電する断面円形状のコンデンサを有するストロボ装置と、
前記第２光学系の前記第１光軸の方向の正面側又は背面側に配置されて、前記第１光軸に対して直交する平面を有する平面部材と、を備え、
前記コンデンサは、軸線を前記第２光軸と同一の方向に向けた状態で、周面が前記平面部材の前記平面に当接又は近接して配置され、
前記コンデンサの前記当接部又は前記近接部の周方向一側の周面と前記平面部材との間に形成される空間に前記ガイド部が配置される、ことを特徴とする撮像装置。
【請求項２】
前記平面部材は、前記第２光学系の前記第１光軸の方向の背面側に配置されて、前記第１光軸に対して直交する平面を有するシャーシであることを特徴とする請求項１に記載の撮像装置。
【請求項３】
前記コンデンサの周面は、前記ガイド部を保持する保持部材を介して前記シャーシに当接又は近接して配置され、前記空間は、前記保持部材に形成された開口部の空間を含む、ことを特徴とする請求項２に記載の撮像装置。
【請求項４】
前記平面部材は、前記第２光学系の前記第１光軸の方向の正面側に配置されて、前記第１光軸に対して直交する平面を有する基板であることを特徴とする請求項１に記載の撮像装置。
【発明の詳細な説明】
【技術分野】
【０００１】
本発明は、入射光束を屈曲させて結像面に導く屈曲光学系を有するデジタルカメラ等の撮像装置に関する。
【背景技術】
【０００２】
デジタルカメラ等の撮像装置では、第１光軸に配置された第１光学系から入射した光束を第１光学系の後方に配置されたミラーやプリズム等の屈曲光学部により第１光軸に対して略直交方向に屈曲させて第２光学系を介して撮像素子に結像させるものがある。
【０００３】
第２光学系は、第１光軸に対して直交する第２光軸と平行に配置された直進ガイド軸によって第２光軸に沿って移動可能に支持されている。
【０００４】
従来、このような屈曲光学系を有するデジタルカメラの薄型化を図るために、直進ガイド軸を第２光学系の第１光軸方向の被写体側とは反対側の位置に配置したものが提案されている（特許文献１）。
【先行技術文献】
【特許文献】
【０００５】
【特許文献１】特開２００６−９１３７１号公報
【発明の概要】
【発明が解決しようとする課題】
【０００６】
しかし、上記特許文献１では、直進ガイド軸が第２光学系に対して第１光軸方向（デジタルカメラの厚み方向）に重なって配置されるため、デジタルカメラの薄型化の妨げになる。
【０００７】
また、直進ガイド軸は、第２光学系のレンズ群の中心位置と同等の高さに位置するため、デジタルカメラの落下等の衝撃による影響を受けやすい。このため、直進ガイド軸の位置ずれによる第２光学系の直進精度の悪化により、撮影画像の画質劣化を引き起こす可能性がある。
【０００８】
そこで、本発明は、撮像装置の薄型化を図ることができると共に、落下等の衝撃による直進ガイド軸の位置ずれを防止することができる仕組みを提供することを目的とする。
【課題を解決するための手段】
【０００９】
上記目的を達成するために、本発明の撮像装置は、第１光軸を有する第１光学系と、前記第１光学系から入射した光束を第１光軸に対して交差する第２光軸の方向に屈曲させて、結像面に導く屈曲光学部と、前記屈曲光学部と前記結像面との間に配置される第２光学系と、前記第２光学系を前記第２光軸に沿って移動可能に支持するガイド部と、被写体に向けて閃光を発光するためエネルギーを充電する断面円形状のコンデンサを有するストロボ装置と、前記第２光学系の前記第１光軸の方向の正面側又は背面側に配置されて、前記第１光軸に対して直交する平面を有する平面部材と、を備え、前記コンデンサは、軸線を前記第２光軸と同一の方向に向けた状態で、周面が前記平面部材の前記平面に当接又は近接して配置され、前記コンデンサの前記当接部又は前記近接部の周方向一側の周面と前記平面部材との間に形成される空間に前記ガイド部が配置される、ことを特徴とする。
【発明の効果】
【００１０】
本発明によれば、撮像装置の薄型化を図ることができると共に、落下等の衝撃による直進ガイド軸の位置ずれを防止することができる。
【図面の簡単な説明】
【００１１】
【図１】本発明の撮像装置の実施形態の一例であるデジタルカメラを正面側から見た斜視図である。
【図２】図１に示すデジタルカメラを正面側から見た図である。
【図３】図２のＡ−Ａ線断面図である。
【図４】図３の状態からレンズ鏡筒の第１光学系が撮影位置に繰り出した状態を示す断面図である。
【図５】カメラ本体の分解斜視図である。
【図６】デジタルカメラの内部構造を正面側から見た断面図である。
【図７】レンズ鏡筒を背面側から見た斜視図である。
【図８】図７に示すレンズ鏡筒から保持部材を取り外した状態を示す斜視図である。
【図９】図２のＢ−Ｂ線断面図である。
【発明を実施するための形態】
【００１２】
以下、本発明の実施形態の一例を図面を参照して説明する。
【００１３】
図１は、本発明の撮像装置の実施形態の一例であるデジタルカメラを正面側から見た斜視図である。
【００１４】
本実施形態のデジタルカメラは、図１に示すように、正面側に、レンズ鏡筒７、補助光窓５、及びストロボ発光窓６が設けられ、上面部には、レリーズボタン１、ズームレバー２、電源ボタン３及びモード切替レバー４が設けられている。
【００１５】
図２は図１に示すデジタルカメラを正面側から見た図、図３は図２のＡ−Ａ線断面図、図４は図３の状態からレンズ鏡筒７が撮影位置に繰り出した状態を示す断面図である。なお、図３及び図４は、外装カバーは取り外した状態を示す。
【００１６】
図４に示すように、レンズ鏡筒７の撮影位置では、第１光学系１１から入射した光束は、プリズム８により第１光学系１１の光軸９に対して略９０°の角度で交差する光軸１０方向に屈曲されて、撮像素子２７の結像面に導かれる。プリズム８と撮像素子２７との間には、第２光学系１２が光軸１０に沿って配置されている。
【００１７】
そして、レンズ鏡筒７が図３に示す沈胴位置に移動する際には、プリズム８、及び第２光学系１２は、光軸１０に沿って互いに干渉しないように撮像素子２７側に移動する。これにより、第１光学系１１の後方に収納空間が形成され、第１光学系１１が光軸９に沿って後退して、第１光学系１１を駆動する駆動筒とともに前記収納空間に収納される。
【００１８】
ここで、プリズム８は、本発明の屈曲光学部の一例に相当し、光軸９は、本発明の第１光軸の一例に相当し、光軸１０は、本発明の第２光軸の一例に相当する。
【００１９】
図５はカメラ本体の分解斜視図、図６はデジタルカメラの内部構造を正面側から見た断面図である。
【００２０】
図５に示すように、カメラ本体は、レンズ鏡筒７に電池収納室１６が取り付けられた鏡筒ユニット１８を備え、鏡筒ユニット１８の上部には、ストロボ発光窓６から被写体に向けて閃光を発光させるためのストロボ装置１３が取り付けられる。
【００２１】
ストロボ装置１３には、発光するためのエネルギーを充電するコンデンサ１４が設けられており、コンデンサ１４は、断面円形状とされて、その軸線を第２光学系１２の光軸１０と同一の方向に向けて配置されている。ストロボ装置１３の上部には、上面操作系カバーユニット１９が取り付けられる。
【００２２】
また、鏡筒ユニット１８を構成するレンズ鏡筒７の第２光学系１２の正面側には、撮像素子２７やＣＰＵ、各種ＩＣ等の電子部品が実装された基板１７が配置され、鏡筒ユニット１８の背面側には、シャーシ１５が配置される。
【００２３】
シャーシ１５には、鏡筒ユニット１８及びＬＣＤ等の表示ユニット２４（図９参照）が保持され、外装カバー等がビス等により固定される。また、図６に示すように、電池収納室１６に収納された電池２０は、光軸１０方向において、レンズ鏡筒７の第１光学系１１に対して第２光学系１２の反対側に配置されている。これにより、デジタルカメラの薄型化を可能にしている。
【００２４】
図７はレンズ鏡筒７を背面側から見た斜視図、図８は図７に示すレンズ鏡筒７から保持部材２１を取り外した状態を示す斜視図である。
【００２５】
図７及び図８に示すように、レンズ鏡筒７の背面側には、第２光学系１２を光軸１０の方向に沿って移動可能に支持する上下２本の直進ガイド軸２２，２３等を保持する保持部材２１が取り付けられている。
【００２６】
保持部材２１には、光軸１０に沿って移動する第２光学系１２の移動領域の一部を形成する開口部が形成されており、該開口部は、シャーシ１５により覆われて遮光される。これにより、デジタルカメラの薄型化を可能にしている。なお、保持部材２１は、シャーシ１５に当接して、ビス等により固定される。
【００２７】
ここで、シャーシ１５は、本発明の第２光学系の第１光軸方向の背面側に配置されて、第１光軸に対して直交する平面を有する平面部材の一例に相当する。
【００２８】
図９は、図２のＢ−Ｂ線断面図である。図９に示すように、断面円形状のコンデンサ１４は、その周面が保持部材２１に当接又は近接して配置されている。
【００２９】
ここで、コンデンサ１４の前記当接部又は前記近接部の周方向の一側（図では、下側）の周面とシャーシ１５との間には、保持部材２１の開口部の空間を含む略三角形状の空間２６が形成される。
【００３０】
本実施形態では、この略三角形状の空間２６に、上下２本の直進ガイド軸２２，２３のうちの上側の直進ガイド軸２２が配置されている。ここで、直進ガイド軸２２，２３は、本発明のガイド部の一例に相当する。
【００３１】
略三角形状の空間２６は、落下や振動等による衝撃が外装カバー、シャーシ１５及び保持部材２１を介してコンデンサ１４に加わったとしても影響を受けない空間である。従って、直進ガイド軸２２についても、落下や振動等による衝撃の影響を受けないようにすることができる。
【００３２】
なお、本実施形態では、保持部材２１に開口部を形成した場合を例示したが、開口部を形成しない場合は、コンデンサ１４の前記当接部又は前記近接部の周方向の一側の周面と保持部材２１との間に形成される略三角形状の空間に直進ガイド軸２２を配置する。
【００３３】
また、本実施形態では、コンデンサ１４の周面を保持部材２１に当接又は近接させて配置した場合を例示したが、保持部材２１を介さずにシャーシ１５にコンデンサ１４の周面を当接又は近接させて配置してもよい。
【００３４】
この場合、コンデンサ１４のシャーシ１５への当接部又は近接部の周方向の一側の周面とシャーシ１５との間に形成される略三角形状の空間に直進ガイド軸２２を配置する。
【００３５】
以上説明したように、本実施形態では、第２光学系１２を光軸１０に沿って移動可能に支持する直進ガイド軸２２が落下や振動等による衝撃の影響を受けないようにすることができる。
【００３６】
このため、カメラ本体に落下や振動等による衝撃が加わった場合に、該衝撃による直進ガイド軸２２の位置ずれを防止して第２光学系１２の直進精度を良好に維持することができる。
【００３７】
また、直進ガイド軸２２が配置される空間２６は、コンデンサ１４の周面とシャーシ１５との間に形成される空間であり、第２光学系１２に対して第１光学系１１の光軸９方向に重ならないため、デジタルカメラの薄型化を図ることができる。
【００３８】
なお、本発明の構成は、上記実施形態に例示したものに限定されるものではなく、材質、形状、寸法、形態、数、配置箇所等は、本発明の要旨を逸脱しない範囲において適宜変更可能である。
【００３９】
例えば、上記実施形態では、第２光学系１２の光軸９方向の背面側に配置されるシャーシ１５とコンデンサ１４の周面との間に形成される空間２６に直進ガイド軸２２を配置した場合を例示したが、これに限定されない。
【００４０】
例えば、第２光学系１２の光軸９方向の正面側に配置される基板１７にコンデンサ１４の周面を当接又は近接させ、コンデンサ１４の前記当接部又は前記近接部の周方向一側の周面と基板１７との間に形成される空間に直進ガイド軸を配置してもよい。この場合、基板１７の電子部品が実装されていない基板面にコンデンサ１４の周面を当接又は近接させて配置する。
【符号の説明】
【００４１】
７  レンズ鏡筒
８  プリズム
１１  第１の光学系
１２  第２の光学系
１３  ストロボ装置
１４  コンデンサ
１５  シャーシ
２１  保持部材
２２  直進ガイド軸
２３  直進ガイド軸
【図１】
2012042680.tif 000003
【図２】
2012042680.tif 000004
【図３】
2012042680.tif 000005
【図４】
2012042680.tif 000006
【図５】
2012042680.tif 000007
【図６】
2012042680.tif 000008
【図７】
2012042680.tif 000009
【図８】
2012042680.tif 000010
【図９】
2012042680.tif 000011